(57)【要約】【課題】  制御部等に対するメンテナンス性を向上した開閉装置を提供する。【解決手段】  開閉機３４は、駆動軸側を巻取体３２の一端部の近傍に配置するとともに、反駆動軸側を巻取体３２の他端方向へ向けて固定され、収納部３０の下面には、点検口３０ａと、該点検口３０ａを開放可能に閉鎖する閉鎖部材３０ｂとが設けられ、制御部３６は、制御のための信号線接続部を少なくとも有する被作業面３６ａを、反駆動軸側へ向けて、開閉機３４の上部又は下部に固定され、収納部３０内には、制御部３６の被作業面３６ａよりも反駆動軸側に、被作業面３６ａに対する作業を行うための作業空間Ｓが確保され、点検口３０ａは、開閉機３４及び作業空間Ｓを含む範囲に開口されている。【選択図】  図１
2015081494.tif 000002
【特許請求の範囲】
【請求項１】
上下方向へ開閉動作する開閉体と、該開閉体をその上方側で収納したり送出したりする収納部と、該収納部内で前記開閉体を巻き取ったり繰り出したりする巻取体と、該巻取体を駆動回転させる開閉機と、該開閉機を制御する制御部とを備えた開閉装置であって、
前記開閉機は、駆動軸側を前記巻取体の一端部の近傍に配置するとともに、反駆動軸側を前記巻取体の他端方向へ向けて固定され、
前記収納部の下面には、点検口と、該点検口を開放可能に閉鎖する閉鎖部材とが設けられ、
前記制御部は、制御のための信号線接続部を少なくとも有する被作業面を、反駆動軸側へ向けて、前記開閉機の上部又は下部に固定され、
前記収納部内には、前記制御部の被作業面よりも反駆動軸側に、前記被作業面に対する作業を行うための作業空間が確保され、
前記点検口は、前記開閉機及び前記作業空間を含む範囲に開口されていることを特徴とする開閉装置。
【請求項２】
前記制御部は、前記開閉機の上部に固定され、
前記作業空間の上方側には、操作面を下方へ向けるようにして、前記開閉機の電源回路用の遮断器が固定されていることを特徴とする請求項１記載の開閉装置。
【請求項３】
前記遮断器は、下端側を前記制御部に接続した遮断器支持ブラケットの上部側に固定されるとともに、前記被作業面よりも上側に位置していることを特徴とする請求項２記載の開閉装置。
【請求項４】
前記遮断器支持ブラケットは、前記作業空間側へスライドして外せるように設けられていることを特徴とする請求項３記載の開閉装置。
【請求項５】
前記制御部は、前記開閉機に対し、前記作業空間側へスライドさせて外せるように設けられていることを特徴とする請求項２乃至４何れか１項記載の開閉装置。
【請求項６】
前記開閉機の上部に制御部載置ブラケットが固定され、該制御部載置ブラケットの上面側に前記制御部が固定され、
前記制御部の下面には、駆動軸側を向いて突出した突片部が設けられ、該突片部には、駆動軸側を開口した凹部が設けられ、
前記制御部載置ブラケットには、前記制御部を載置してスライドさせる被スライド面と、前記制御部の前記突片部と前記凹部に対し、それぞれ、駆動軸側から嵌り合う凹部と凸部が設けられていることを特徴とする請求項５記載の開閉装置。
【請求項７】
前記点検口は、前記開閉機よりも反駆動軸側に、前記制御部を上下方向へ通過可能な開口を有することを特徴とする請求項１乃至６何れか１項記載の開閉装置。
【発明の詳細な説明】
【技術分野】
【０００１】
本発明は、シャッター装置やオーバーヘッドドア等の開閉装置に関し、特に動力源である開閉機を制御して開閉体を開閉動作させる開閉装置に関するものである。
【背景技術】
【０００２】
従来、この種の発明には、例えば特許文献１に記載される発明のように、上下方向へ開閉動作する開閉体（シャッターカーテン２）と、該開閉体を上方側で巻き取ったり繰り出したりする巻取体（巻き取りドラム４）と、該巻取体を回転させる駆動源である開閉機（電動モータ７）と、該開閉機を制御する制御部（主制御部１０）とを備えた開閉装置がある。
この従来技術によれば、開閉機（電動モータ７）の上部に制御部（主制御部１０）を配置しているため、これら開閉機と制御部を一体的に扱うことができ、例えば、製造時やメンテナンス時に好都合な場合がある。
【０００３】
しかしながら、前記従来技術では、開閉機の上方側に制御部が隠れるようにして配置されるため、制御部を取り外すことなく点検口等からメンテナンスする場合には、そのメンテナンス作業が困難になるおそれがある。より具体的に説明すれば、制御部には、各種センサ等を接続するためのコネクタや、制御内容を切り換えるスイッチや、制御状態を表示する表示部等が設けられる場合があるが、これらに対する配線作業や操作等が、困難になる可能性がある。
【先行技術文献】
【特許文献】
【０００４】
【特許文献１】特開２００８−１４４４４８号公報
【発明の概要】
【発明が解決しようとする課題】
【０００５】
本発明は上記従来事情に鑑みてなされたものであり、その課題とする処は、制御部等に対するメンテナンス性を向上した開閉装置を提供することにある。
【課題を解決するための手段】
【０００６】
上記課題を解決するための一手段は、上下方向へ開閉動作する開閉体と、該開閉体をその上方側で収納したり送出したりする収納部と、該収納部内で前記開閉体を巻き取ったり繰り出したりする巻取体と、該巻取体を駆動回転させる開閉機と、該開閉機を制御する制御部とを備えた開閉装置であって、前記開閉機は、駆動軸側を前記巻取体の一端部の近傍に配置するとともに、反駆動軸側を前記巻取体の他端方向へ向けて固定され、前記収納部の下面には、点検口と、該点検口を開放可能に閉鎖する閉鎖部材とが設けられ、前記制御部は、制御のための信号線接続部を少なくとも有する被作業面を、反駆動軸側へ向けて、前記開閉機の上部又は下部に固定され、前記収納部内には、前記制御部の被作業面よりも反駆動軸側に、前記被作業面に対する作業を行うための作業空間が確保され、前記点検口は、前記開閉機及び前記作業空間を含む範囲に開口されていることを特徴とする。
【発明の効果】
【０００７】
本発明は、以上説明したように構成されているので、制御部等に対するメンテナンス性を向上することができる。
【図面の簡単な説明】
【０００８】
【図１】本発明に係る開閉装置の一例を示す正面図である。
【図２】開閉機及び制御部の取付け構造の一例を示す要部正面図であり、巻取体の図示を省略している。
【図３】同取付け構造を示す側面図である。
【図４】制御部の一例を示す斜視図である
【図５】同制御部の被作業面を示す図である。
【図６】制御部載置ブラケットの一例を示す斜視図である。
【図７】遮断器支持ブラケットの一例を示す斜視図である。
【図８】同遮断器支持ブラケットを示す上面図である。
【発明を実施するための形態】
【０００９】
本実施の形態の第一の特徴は、上下方向へ開閉動作する開閉体と、該開閉体をその上方側で収納したり送出したりする収納部と、該収納部内で前記開閉体を巻き取ったり繰り出したりする巻取体と、該巻取体を駆動回転させる開閉機と、該開閉機を制御する制御部とを備えた開閉装置であって、前記開閉機は、駆動軸側を前記巻取体の一端部の近傍に配置するとともに、反駆動軸側を前記巻取体の他端方向へ向けて固定され、前記収納部の下面には、点検口と、該点検口を開放可能に閉鎖する閉鎖部材とが設けられ、前記制御部は、制御のための信号線接続部を少なくとも有する被作業面を、反駆動軸側へ向けて、前記開閉機の上部又は下部に固定され、前記収納部内には、前記制御部の被作業面よりも反駆動軸側に、前記被作業面に対する作業を行うための作業空間が確保され、前記点検口は、前記開閉機及び前記作業空間を含む範囲に開口されている。
この構成によれば、閉鎖部材を外して点検口を開放すれば、点検口が作業空間に連通し、該作業空間が制御部の被作業面の近くに位置するため、制御部への各種信号線の着脱作業等、制御部の被作業面に対する作業を容易に行うことができる。
【００１０】
第二の特徴としては、前記制御部は、前記開閉機の上部に固定され、前記作業空間の上方側には、操作面を下方へ向けるようにして、前記開閉機の電源回路用の遮断器が固定されている。
この構成によれば、遮断器に対する操作を、開放した際の点検口から容易に行うことができる。
【００１１】
第三の特徴としては、前記遮断器は、下端側を前記制御部に接続した遮断器支持ブラケットの上部側に固定されるとともに、前記被作業面よりも上側に位置している。
この構成によれば、遮断器を制御部と一体的に扱える上、制御部の被作業面に対する作業と、遮断器に対する操作との両方を、良好に行うことができる。
【００１２】
第四の特徴としては、前記遮断器支持ブラケットは、前記作業空間側へスライドして外せるように設けられている。
この構成によれば、遮断器の着脱や交換等の作業を容易に行うことができる。
なお、より好ましくは、前記制御部載置ブラケットを前記作業空間側からネジ止めする。
【００１３】
第五の特徴としては、前記制御部は、前記開閉機に対し、前記作業空間側へスライドさせて外せるように設けられている。
この構成によれば、前記制御部を障害物等のない作業空間側へ引き抜くようにして外すことができ、ひいては、メンテナンス時の作業性を向上することができる。
なお、より好ましくは、前記制御部を前記作業空間側からネジ止めする。
【００１４】
第六の特徴としては、前記開閉機の上部に制御部載置ブラケットが固定され、該制御部載置ブラケットの上面側に前記制御部が固定され、
前記制御部の下面には、駆動軸側を向いて突出した突片部が設けられ、該突片部には、駆動軸側を開口した凹部が設けられ、
前記制御部載置ブラケットには、前記制御部を載置してスライドさせる被スライド面と、前記制御部の前記突片部と前記凹部に対し、それぞれ、駆動軸側から嵌り合う凹部と凸部が設けられている。
この構成によれば、前記制御部をスライドさせて着脱できる上、装着時には、制御部側の突片部と制御部載置ブラケット側の凹部との嵌り合いにより、上下方向へのがたつきを抑制し、さらに、制御部側の凹部と制御部載置ブラケット側の凸部との嵌り合いにより、巻取体に交差する方向のがたつきも抑制することができる。
【００１５】
第七の特徴としては、前記点検口は、前記開閉機よりも反駆動軸側に、前記制御部を上下方向へ通過可能な開口を有する。
この構成によれば、前記制御部を障害物等のない作業空間側へ引き抜くようにして外して、点検口から収納部外へ引き出すことができ、ひいては、メンテナンス時の作業性をより向上することができる。
【００１６】
なお、本明細書中、「開閉体閉鎖方向」とは、当該開閉装置により開閉される開口部において、開閉体が空間を仕切るようにしてスライドする方向を意味し、「開閉体開放方向」とは、前記開閉体閉鎖方向に対する逆方向を意味する。また、「開閉体開閉方向」とは、当該開閉装置により開閉される開口部において、開閉体が空間を仕切ったり開放したりするためにスライドする方向を意味する。また、本明細書中、「開閉体厚さ方向」とは、全閉状態の開閉体の厚さ方向を意味する。また、本明細書中、「開閉体幅方向」又は「開閉体横幅方向」とは、開閉体開閉方向と略直交する方向であって、前記開閉体の厚さ方向ではない方向を意味する。また、本明細書中、「面方向」とは、全閉状態の開閉体の面が連続する方向を意味する。
また、「駆動軸側」とは、開閉機の駆動軸の軸方向において駆動軸が突出する方向を意味し、「反駆動軸側」とは、前記駆動軸側に対する逆方向側を意味する。
【実施例】
【００１７】
次に、上記特徴を有する好ましい実施例を、図面に基づいて詳細に説明する。
図１に示す開閉装置１は、住宅やビル、倉庫、工場、地下街、トンネル、車両の荷台等の躯体の開口部分や内部に配設され、前記開口部分を開閉したり、躯体内部の空間を仕切ったり開放したりするシャッター装置として適用可能である。
【００１８】
この開閉装置１は、上下方向へスライドしながら開閉動作する開閉体１０と、該開閉体１０の幅方向の端部を囲んで上下方向へ案内するガイドレール２０と、該開閉体１０をその上方側で収納したり送出したりする収納部３０とを具備し、収納部３０内のメンテナンス作業を下方側から行えるようにしている。
【００１９】
開閉体１０は、開閉体本体１１と、該開閉体本体１１の下端側に接続されて開閉体本体１１に相対して上下方向へ移動可能な可動座板１２とを備える。
【００２０】
開閉体本体１１は、横長略矩形状の金属板を曲げ加工してなる所謂スラット１１ａを、上下に隣接する該スラット１１ａ，１１ａ間で回動するように複数連接している。可動座板１２は、開閉体幅方向へわたる長尺状に形成され、開閉体本体１１の下端側に、上下方向へスライドするように接続されている。
【００２１】
ガイドレール２０は、開閉体１０の幅方向の端部を囲む断面略コ字状の部材であり、開閉体１０によって着座される着座対象部位Ｇ（例えば、床面や地面、枠部材等）と収納部３０との間にわたって配設されている（図１参照）。
【００２２】
また、収納部３０は、収納ケース３１内に、開閉体１０を巻き取ったり繰り出したりする巻取体３２と、該巻取体３２をチェーン及びスプロケット等の動力伝達手段を介して駆動回転させたり制動したりする開閉機３４と、開閉機３４等を制御する制御部３６と、電源回路用の遮断器３７とを具備している（図１参照）。
【００２３】
収納ケース３１は、形鋼状の枠材を直方体状に組み、その外周面を必要に応じて板金等により閉鎖してなる。
この収納ケース３１内には、制御部３６の被作業面３６ａ（図１及び図４参照）よりも反駆動軸側（図１によれば右方向側）に、前記被作業面３６ａに対する作業を行うための作業空間Ｓが確保される。
また、収納ケース３１の下端面には、制御部載置ブラケット３８、開閉機３４及び遮断器３７に対するメンテナンス作業を行うための点検口３０ａと、該点検口３０ａを開放可能に閉鎖する閉鎖部材３０ｂとが設けられる。
【００２４】
作業空間Ｓは、図１及び図２に示すように、被作業面３６ａの反駆動軸側、及び開閉機３４の反駆動軸側に位置する空間である。この作業空間Ｓは、図１に示す一例によれば、メンテナンス等のために開閉機３４から取り外された制御部３６や、制御部載置ブラケット３８、遮断器支持ブラケット３９、遮断器３７等を、一時的に通過可能な程度の広さに確保される。
【００２５】
点検口３０ａは、開閉機３４及び作業空間Ｓを含む範囲に位置するとともに、開閉機３４よりも反駆動軸側に、制御部３６、制御部載置ブラケット３８及び遮断器支持ブラケット３９等を上下方向へ通過可能な開口を確保している。
【００２６】
また、閉鎖部材３０ｂは、点検口３０ａを覆い塞ぐように収納ケース３１に装着される。この閉鎖部材３０ｂは、収納ケース３１に対し蝶番等を軸に回転して開閉する態様や、あるいは収納ケース３１に対し着脱可能に係合した態様等とすればよい。
【００２７】
巻取体３２は、収納ケース３１に対し、ブラケット等を介して回転自在に支持された軸状もしくは筒状の部材であり、開閉体横幅方向へわたって設けられる。
【００２８】
開閉機３４は、例えば、実開平０１−１１８０８４号公報に示される周知構造の開閉機であり、その内部には、動力源となる電動モータや、該電動モータの駆動軸の回転を制動するブレーキ機構、該ブレーキ機構を制動状態に維持する付勢部材、該付勢部材の付勢力に抗してブレーキ機構の制動状態を解除する電磁ソレノイド等が設けられる。この開閉機３４によれば、前記電動モータへ供給される電力を位相制御することにより前記駆動軸を正転又は反転させることができる。
この開閉機３４は、駆動軸を巻取体３２の一端部（図１によれば左端部）の近傍に配置するとともに、前記駆動軸の側と反対側である反駆動軸側を同巻取体３２の他端方向へ向けて、収納ケース３１に固定される。この固定箇所は、収納ケース３１における閉鎖部材３０ｂ以外の不動部位であればよく、例えば、収納ケース３１を構成する枠材や板金等に対しブラケット等を介して固定される。
【００２９】
なお、図２中、符号３４ａは、緊急時等に開閉機３４の駆動軸を手動で回すためのチェーンであり、通常時は曲げられて収納ケース３１内に収納されたり外されたりする。
【００３０】
制御部３６は、例えば、プログラムに基づいて中央処理装置（CPU）を機能させる電子回路（例えば、マイコン等）や、リレー等により構成され、当該制御部３６の外部から入力される複数の信号を処理し、その処理結果に応じて、開閉機３４の動作を制御する。
この制御部３６には、例えば、制御のための信号線接続部や、開閉位置や異常状態等を表示するディスプレイ、制御モード等を切り換える切換えスイッチ、設定値等を入力するスイッチ等を有する被作業面３６ａが設けられる。制御部３６は、この被作業面３６ａを、反駆動軸側（図１によれば右方向）へ向けて、開閉機３４の上部又は下部（図示例によれば上部）に固定される。
前記信号線接続部は、例えば、操作スイッチ（開放スイッチ、閉鎖スイッチ、停止スイッチなど）からの信号線、開閉体１０の開閉状態を感知する上下限リミットスイッチからの信号線、可動座板１２や光電センサ等による障害物感知装置からの信号線等が接続される端子である。
【００３１】
制御部３６の外観形状は、図４に示すように矩形箱状を呈し、その下面には、駆動軸側（図１によれば左方向側）を向いて突出した突片部３６ｂが設けられる。突片部３６ｂは、開閉体厚さ方向へわたって突出する板状の突起である。この突片部３６ｂには、駆動軸側を開口した複数（図示例によれば二つ）の凹部３６ｂ１が設けられる。
そして、制御部３６は、制御部載置ブラケット３８等を介して開閉機３４の上部に固定される。
図４中、符号３６ｃは、制御部載置ブラケット３８の貫通孔３８ｅ１に挿通した止着具３９ｂ３（例えば、ネジやボルト等、図２参照）を螺合するためのネジ孔である。
【００３２】
制御部載置ブラケット３８は、図６に示すように、金属製板金材料等から略板状に形成され、制御部３６を載置してスライドさせる略平坦状の被スライド面３８ａや、制御部３６の突片部３６ｂと凹部３６ｂ１に対し、それぞれ、駆動軸側（図１によれば右側）から嵌り合う凹部３８ｂと凸部３８ｃ、後述する遮断器支持ブラケット３９が嵌め合せられる被嵌合片部３８ｄ、制御部３６及び遮断器支持ブラケット３９を不動に止着する被止着片部３８ｅ等を一体に有する。そして、この制御部載置ブラケット３８は、ボルトやネジ、スリーブ、取付ブラケット等の止着具により、開閉機３４の上部側に固定されている。
【００３３】
凹部３８ｂ及び凸部３８ｃは、制御部載置ブラケット３８の被スライド面３８ａにおける駆動軸寄り側を切り起こすようにして形成される。
凹部３８ｂは、被スライド面３８ａの駆動軸寄りから断面逆Ｌ字状に上方へ突出する突片部の内側に形成される凹部であり、その開口を反駆動軸側へ向けている。この凹部３８ｂの上下開口幅は、制御部３６の突片部３６ｂを嵌脱可能なように適宜に設定される。
また、凸部３８ｃは、被スライド面３８ａの駆動軸寄りから上方へ突出する片状に形成され、制御部３６における突片部３６ｂの凹部３６ｂ１に対し嵌脱可能となるように、複数（図示例によれば二つ）設けられる。
【００３４】
また、被嵌合片部３８ｄは、被スライド面３８ａの裏面における反駆動軸寄りから断面Ｌ字状に下方へ突出し、開口を反駆動軸側へ向けている。
【００３５】
また、被止着片部３８ｅは、図６に示すように、制御部載置ブラケット３８の反駆動軸側の縁部を上方へ折り曲げてなる。この被止着片部３８ｅにおいて、長手方向の中央側には、制御部３６を止着し固定するための貫通孔３８ｅ１が設けられ、同方向の両側には、遮断器支持ブラケット３９を止着するためのネジ孔３８ｅ２，３８ｅ２が設けられる。
【００３６】
その他、図６中、符号３８ｆ，３８ｇ，３８ｈ，３８ｉは、開閉機３４へ止着される止着片であり、ボルトやネジ等を挿通する貫通孔を有する。
【００３７】
また、遮断器３７は、開閉機３４の電源回路を過電流等により遮断して開閉機３４を保護する機器である。
この遮断器３７は、制御部載置ブラケット３８に支持された遮断器支持ブラケット３９を介することで、操作面３７ａを下方へ向けた状態で、作業空間Ｓ及び被作業面３６ａよりも上方に位置して固定され（図２参照）、開閉機３４及び制御部載置ブラケット３８に対し、作業空間Ｓ側へスライドさせて外すことが可能である。
【００３８】
遮断器支持ブラケット３９は、金属製板金材料等を曲げ加工することで、図７に示すように、略水平板状の遮断器取付部３９ａと、遮断器取付部３９ａから下方へ延設された二つの取付け片部３９ｂ，３９ｂとから一体に構成される。
【００３９】
遮断器取付部３９ａは、図示例によれば、略矩形板状に形成され、その下面に、止着具（例えば、ボルトやネジ等）によって遮断器３７が取り付けられる。
【００４０】
二つの取付け片部３９ｂ，３９ｂは、開閉機３４の駆動軸方向と交差する方向の一端側と他端側に位置するように間隔を置いて配置され、これらの間に、制御部３６及び制御部載置ブラケット３８が位置する。
各取付け片部３９ｂは、制御部載置ブラケット３８の下面に接触するように略水平方向へ曲げられた曲げ片部３９ｂ１と、制御部載置ブラケット３８の被止着片部３８ｅに対し反駆動軸側から接触するように上方へ曲げられた止着片部３９ｂ２とを有する。止着片部３９ｂ２には、止着具３９ｂ３（例えばネジやボルト等）を挿通可能な貫通孔が設けられる。
前記構成の遮断器支持ブラケット３９を開閉機３４及び制御部載置ブラケット３８に組み付ける際には、二つの取付け片部３９ｂ，３９ｂを制御部載置ブラケット３８下面に沿って駆動軸側へスライドさせれば、各取付け片部３９ｂが制御部載置ブラケット３８の被嵌合片部３８ｄに嵌り合うとともに、止着片部３９ｂ２が制御部載置ブラケット３８後端の被止着片部３８ｅに重なり合う。この状態で、止着片部３９ｂ２に止着具３９ｂ３（例えばネジやボルト等、図２参照）を挿通し、該止着具３９ｂ３を被止着片部３８ｅに螺合すればよい。
【００４１】
次に上記構成の開閉装置１について、その特徴的な作用効果を詳細に説明する。
当該開閉装置１を現場等に設置した状態において、閉鎖部材３０ｂを外す等して点検口３０ａを開放すると、該点検口３０ａが作業空間Ｓに連通し、該作業空間Ｓが制御部３６の被作業面３６ａ、及び遮断器３７の操作面３７ａの近くに位置する。したがって、制御部３６への信号線の接続作業や、制御モードの切り替え作業、設定値の変更作業、ディスプレイによる表示の確認、遮断器３７の入切、操作モードの切り替え等、制御部３６に対するメンテナンス作業や操作等を容易に行うことができる。
【００４２】
また、遮断器３７のみを交換等のために外す際には、止着具３９ｂ３（図２参照）を緩めて外し、遮断器支持ブラケット３９を作業空間Ｓ側へ引き抜いて、更に作業空間Ｓ下側の点検口３０ａに通過させればよい。そして、遮断器３７を装着する際には、前記と逆の作業を行えばよい。
【００４３】
さらに、部品交換等のために開閉体１０から制御部３６を外す場合には、上記のようにして遮断器３７及び遮断器支持ブラケット３９を外した後、被止着片部３８ｅ（図６参照）の中央側の貫通孔３８ｅ１に挿通され止着された止着具３９ｂ３（図２参照）を外し、制御部３６の反駆動軸側の部分を被止着片部３８ｅの高さよりも高く持ち上げて、制御部３６を反駆動軸側へスライドさせれば、制御部３６下面の駆動軸側の突片部３６ｂが制御部載置ブラケット３８から外れる。そして、さらに、制御部３６を作業空間Ｓ側へ引き抜くように移動し、該制御部３６を下方へ移動して点検口３０ａから収納部３０外へ引き出すことができる。
【００４４】
また、制御部３６を装着するには、前記と逆の作業を行えばよく、この際、比較的高重量の制御部３６を制御部載置ブラケット３８上でスライドさせて定位置に固定できるため、その作業性が良好である。しかも、装着後の制御部３６は、突片部３６ｂ及び凹部３６ｂ１，３６ｂ１（図４参照）と、制御部載置ブラケット３８側の凹部３８ｂ及び凸部３８ｃ，３８ｃとの嵌り合い、および止着具３９ｂ３の締付等により、駆動軸方向と該方向に交差する方向へのがたつきが抑制される。
【００４５】
なお、上記実施例では、特に好ましい態様として、制御部３６を開閉機３４の上部側に設けたが、他例としては、制御部３６を開閉機３４の下部側に配置することも可能である。
【００４６】
また、上記実施例によれば、収納部３０の下面側において、開閉体幅方向の一部分に点検口３０ａ及び閉鎖部材３０ｂを設けるようにしたが、他例としては、これら点検口３０ａ及び閉鎖部材３０ｂを、収納部３０の下面の全面に設けることも可能である。
【００４７】
また、図示例によれば、取り外した際の制御部３６及び制御部載置ブラケット３８等を、開閉機３４の反駆動軸側において下方へ通過可能なように、点検口３０ａの寸法を設定したが、他例として、制御部載置ブラケット３８の取り外しを想定していない場合等には、前記寸法を制御部３６や制御部載置ブラケット３８が通過不能な寸法とすることも可能である。但し、この場合でも、作業空間Ｓの寸法は、作業者等が点検口３０ａから被作業面３６ａへのメンテナンス作業を行えるように適宜に設定される。
【００４８】
また、図示例によれば、収納部３０を直方体形状としたが、この収納部３０は、下方面に点検口３０ａと閉鎖部材３０ｂを備えていれば、直方体形状でなくてもよく、例えば、単なる天井裏空間のような空間を利用して、巻取体３２、開閉機３４及び制御部３６を収納するようにしたものであってもよい。
【００４９】
また、図３の一例では、開閉体厚さ方向（図示の左右方向）において、巻取体３２の中心に対し、開閉機３４、制御部３６、遮断器３７及び作業空間Ｓ等が、繰り出された開閉体１０（及びガイドレール２０）とは反対側（図示の右側）に位置しているが、他例としては、巻取体３２の巻取り繰出し回転方向を逆にして、巻取体３２の中心に対して、開閉機３４、制御部３６、遮断器３７及び作業空間Ｓ等が、繰り出される開閉体１０（及びガイドレール２０）と同じ側（図示の左側）に位置する態様とすることも可能である。
【００５０】
また、図３の一例では、開閉体厚さ方向において、巻取体３２に対し、点検口３０ａ、開閉機３４、制御部３６、遮断器３７及び作業空間Ｓ等が横に並ぶような配置になっているが、他例としては、収納部３０の開閉体厚さ方向の寸法を短くする等の目的で、巻取体３２に対し、点検口３０ａの少なくとも一部、（必要に応じて、開閉機３４、制御部３６、遮断器３７、作業空間Ｓ等の少なくとも一部も）、開閉体厚さ方向において巻取体３２とオーバーラップする関係（但し、上下方向にはずれていて干渉しない関係）に配置してもよい。このようにするためには、図３に示すように、開閉体厚さ方向において、巻取体３２の中心に対して、開閉機３４、制御部３６、遮断器３７及び作業空間Ｓ等を、繰り出される開閉体１０（及びガイドレール２０）とは反対側（図示例によれば左側）に位置させると、点検口３０ａ等が繰り出される開閉体１０に干渉することがなく有利である。
なお、巻取体３２の中心に対して、開閉機３４、制御部３６、遮断器３７及び作業空間Ｓ等を、繰り出される開閉体１０（及びガイドレール２０）と同じ側に位置させる構成についても、例えば、ガイドレール２０を巻取体３２の中心寄りに配置する等して、繰り出される開閉体１０が巻取体３２の中心寄りのガイドレール２０に呑み込まれるようにすれば、前記同様に開閉体厚さ方向においてオーバーラップする構成とすることは可能である。
【００５１】
また、開閉体１０の他例としては、単数もしくは複数のパネルや、シート状物、ネット状物を開閉方向へ配設してなる態様、あるいはスラット、パネル、パイプ、シート状物、ネット状物等を適宜に組み合わせてなる態様等とすることが可能である。
【符号の説明】
【００５２】
３０：収納部
３０ａ：点検口
３０ｂ：閉鎖部材
３１：収納ケース
３２：巻取体
３４：開閉機
３６ａ：被作業面
３７：遮断器
３８：制御部載置ブラケット
３８ｂ：凹部
３８ｃ：凸部
３８ｅ：被止着片部
３９：遮断器支持ブラケット
３９ｂ：取付け片部
３９ｂ１：曲げ片部
Ｓ：作業空間
【図１】
2015081494.tif 000003
【図２】
2015081494.tif 000004
【図３】
2015081494.tif 000005
【図４】
2015081494.tif 000006
【図５】
2015081494.tif 000007
【図６】
2015081494.tif 000008
【図７】
2015081494.tif 000009
【図８】
2015081494.tif 000010